(57)【要約】【課題】  屋内でも安全に使用できるよう、難燃化対策を講じたネット遊具を提供すること。【解決手段】  ネット遊具は、架空に展開するサポートネット１で構成される。サポートネット１は、等間隔で並ぶ一群の縦ロープ５と、この縦ロープ５に対して交角を有し且つ等間隔で並ぶ一群の横ロープ６と、からなり、縦ロープ５と横ロープ６で網目が形成され、さらに縦ロープ５と横ロープ６との交点では双方を無結節で一体化してあり、且つ縦ロープ５と横ロープ６には難燃性の繊維を用いる。その結果、サポートネット１自体に着火することがないほか、仮に火炎にさらされた場合でも、破損が最小限に留まり、室内でも火災に対する安全性を確保できる。また縦ロープ５と横ロープ６との交点を無結節で一体化することで、サポートネット１に載った人の足裏などを強く刺激することもなく、従来と同様の娯楽性を提供可能である。【選択図】      図１
2020156930.tif 000002
【特許請求の範囲】
【請求項１】
架空に展開するサポートネット（１）で構成され、
該サポートネット（１）は、等間隔で並ぶ一群の縦ロープ（５）と、該縦ロープ（５）に対して交角を有し且つ等間隔で並ぶ一群の横ロープ（６）と、からなり、該縦ロープ（５）と該横ロープ（６）で網目が形成され、
該縦ロープ（５）と該横ロープ（６）との交点では双方を無結節で一体化してあり、且つ該縦ロープ（５）および該横ロープ（６）には難燃性の繊維を用いていることを特徴とするネット遊具。
【発明の詳細な説明】
【技術分野】
【０００１】
本発明は、高所に敷設され、人が載ることで非日常的な感覚を得ることのできるネット遊具に関する。
【背景技術】
【０００２】
ネット遊具は、柱や木立などを利用して高所にサポートネットを敷設したもので、その上に人が載ることで直下の地面を視認でき、特有の浮遊感や緊張感を得られ、子供を中心に根強い人気を有する。このネット遊具の構成は様々で、サポートネットを橋梁のように張り巡らせたものや、ハンモックのように面状に張り巡らせたものもあれば、大きな傾斜を持たせてよじ登りを実現できるものもある。
【０００３】
ネット遊具は、子供向け施設などで古くから普及しており、その技術開発の例として後記の特許文献が挙げられる。そのうち特許文献１では、上下方向にも広がった遊戯スペースを有し、その構造がきわめて簡単な遊具が開示されている。この遊具は、網体と、これを張設する支柱と、を備えており、網体の一端を閉塞して上下二層にしてあることを特徴とする。また特許文献２では、飽きが来ないように変化性を有する遊戯用ネットが開示されている。この遊戯用ネットは、ネットを取付ロープで張設する構造だが、これとは別に補助ロープを用いることで、ネットを山型や波型などに変形させることができ、子供の興味が持続し、飽きが来ることを防ぐ。
【０００４】
また特許文献３では、網目の交差部位の出っ張りを無くすことができるなどの特徴を有する繊維性遊具ネットが開示されている。このネットは、マルチフィラメント糸を撚り合わせたストランドを用いた十二打ちロープで構成され、その結節部は、無結節状としたことを特徴としており、網目の交差部位の出っ張りを無くすことができる。その結果、他の物と激しく接触することを回避でき、摩耗などの欠点が解消される。
【先行技術文献】
【特許文献】
【０００５】
【特許文献１】公開実用昭和６２−１１９９６０号公報
【特許文献２】実用新案登録第３０５４７９２号公報
【特許文献３】実用新案登録第３２１１００３号公報
【発明の概要】
【発明が解決しようとする課題】
【０００６】
従来、ネット遊具は公園などの屋外を中心に設置されてきたが、近年は、ショッピングセンターや公共施設などの屋内において、集客の目玉として設置されるケースが増えてきている。ショッピングセンターや公共施設などは、不特定多数の人が集まることから、火災予防に万全の対策を講じる必要があり、そこに設置されるネット遊具についても、難燃化対策を講じる必要がある。
【０００７】
本発明はこうした実情を基に開発されたもので、屋内でも安全に使用できるよう、難燃化対策を講じたネット遊具の提供を目的としている。
【課題を解決するための手段】
【０００８】
前記の課題を解決するための請求項１記載の発明は、架空に展開するサポートネットで構成され、該サポートネットは、等間隔で並ぶ一群の縦ロープと、該縦ロープに対して交角を有し且つ等間隔で並ぶ一群の横ロープと、からなり、該縦ロープと該横ロープで網目が形成され、該縦ロープと該横ロープとの交点では双方を無結節で一体化してあり、且つ該縦ロープおよび該横ロープには難燃性の繊維を用いていることを特徴とするネット遊具である。
【０００９】
本発明によるネット遊具で用いるサポートネットは、方向の異なる縦ロープと横ロープを格子状に編み上げた形態を前提としており、キャンバスなどのように、隙間なく面状に展開するものは想定していない。したがって縦ロープや横ロープの周囲は開放しており、その上に人が載った際は、直下の床面などを遮ることなく視認可能である。なお縦ロープおよび横ロープといった称呼は、その方向を区別するため、便宜上付与したもので、実際に敷設された状態とは無関係である。
【００１０】
そして本発明では、縦ロープと横ロープの全てに難燃化対策を講じてある。この難燃化対策の詳細は自在に決めることができ、具体例としては、縦ロープと横ロープの素材として難燃性の繊維を用いる方法のほか、縦ロープと横ロープが完成した段階で防炎加工を施す方法が挙げられる。なおここでの「難燃」とは、ロープ単体では燃焼状態を持続できないことを意味する。
【００１１】
難燃化対策を講じた縦ロープや横ロープは、従来のものと比べて引っ張り強さが低下する場合があり、必要な強度を確保するため、縦ロープや横ロープの断面径を増大させることがある。また縦ロープと横ロープを格子状に編み上げる際、その交点では、双方を緩むことなく一体化させる必要があり、通常は縦ロープと横ロープを縛り付け、玉状の結び目が形成される。したがって、断面径を増大させた縦ロープと横ロープとの交点に結び目が形成された場合、その大形化が避けられない。
【００１２】
このように結び目が大形化した場合、サポートネットに載った人の足裏などを強く刺激し、不快感を与える恐れがある。しかも結び目は狭い間隔で並ぶため、これを避けながら歩くことは困難で、足裏を連続的に刺激する状態になり、娯楽性が半減する恐れがある。そこで本発明では、縦ロープと横ロープとの交点を無結節で一体化しており、結び目を目立たなくしてある。
【発明の効果】
【００１３】
請求項１記載の発明のように、サポートネットに難燃性の繊維を用いたネット遊具は、サポートネット自体に着火することがないほか、仮に火炎にさらされた場合でも、破損が最小限に留まるため、室内でも火災に対する安全性を確保できる。また縦ロープと横ロープとの交点を無結節で一体化することで、サポートネットに載った人の足裏などを強く刺激することもなく、従来と同様の娯楽性を提供可能である。
【図面の簡単な説明】
【００１４】
【図１】本発明によるネット遊具の形状例を示す斜視図である。
【図２】本発明によるネット遊具のサポートネットの一部範囲だけを切り取った状態の写真である。
【発明を実施するための形態】
【００１５】
図１は、本発明によるネット遊具の形状例を示す。本発明によるネット遊具は、そのサポートネット１に難燃性の繊維を用いるならば、具体的な構成は自在であり、図１では、室内の床面に支柱を据え付け、この支柱を用いてサポートネット１を橋梁のように張り巡らせた形態を描いてある。ここでのサポートネット１は、離れた支柱間を結ぶ箇所のほか、支柱に沿って立ち上がる箇所にも配置してあり、いずれも縦ロープ５と横ロープ６を無結節で編み上げてあり、しかも難燃性の繊維を用いている。
【００１６】
図２は、本発明によるネット遊具のサポートネット１の一部範囲だけを切り取った状態の写真であり、縦方向に伸びる縦ロープ５が所定の間隔で複数並んでいるほか、横方向に伸びる横ロープ６も所定の間隔で複数並んでおり、縦ロープ５と横ロープ６との交点は、玉状の結び目が形成される有結節ではなく、玉状の結び目が存在しない無結節としてある。そのため、サポートネット１の表裏面は、大きな突出部が存在しない平面状に仕上がり、この上に人が載った際も、足の裏などを強く刺激することはない。
【００１７】
また図２のサポートネット１は、縦ロープ５と横ロープ６のいずれもポリエステルの繊維で構成されており、その素材の段階で既に難燃性を有している。そのため、火炎にさらされた場合でも、その範囲が炭化するだけに留まり、単独では燃焼状態を持続できない。なおサポートネット１の難燃化については、これ以外にも、縦ロープ５と横ロープ６が完成した段階で防炎加工を施す方法も導入可能である。
【００１８】
このように、縦ロープ５や横ロープ６を難燃化する場合、従来のものに比べて強度が低下することがある。したがって、縦ロープ５や横ロープ６の外径を大きくする必要があるが、その交点は無結節で一体化されており、ネット遊具の利用者の快適性を損なうことはない。
【符号の説明】
【００１９】
１  サポートネット
５  縦ロープ
６  横ロープ
【図１】
2020156930.tif 000003
【図２】
2020156930.tif 000004